(57)【要約】【課題】コストアップを抑制しつつ、帯状の結束ラベルの剥がれを容易に防止することができる軟包体の結束構造を提供する。【解決手段】所定方向に重ね合わせられた複数の軟包体１と、該複数の軟包体１を互いに連結すべく、前記所定方向に対して直交する方向に対向した複数の軟包体１の側面部分にそれぞれ貼着された一対の帯状の結束ラベル２ａ，２ｂとを備えた軟包体の結束構造であって、一対の結束ラベル２ａ，２ｂは、複数の軟包体１を介して互いにＸ状に交差した状態で対向している。【選択図】図１
2015054722.tif 000002
【特許請求の範囲】
【請求項１】
所定方向に重ね合わせられた複数の軟包体と、該複数の軟包体を互いに連結すべく、前記所定方向に対して直交する方向に対向した複数の軟包体の側面部分にそれぞれ貼着された一対の帯状の結束ラベルとを備えた軟包体の結束構造であって、
一対の結束ラベルは、複数の軟包体を介して互いにＸ状に交差した状態で対向していることを特徴とする軟包体の結束構造。
【請求項２】
結束ラベルの両端部は複数の軟包体の前記所定方向の端面に沿うように斜めにカットされている請求項１記載の軟包体の結束構造。
【発明の詳細な説明】
【技術分野】
【０００１】
本発明は、複数の軟包体が結束された軟包体の結束構造に関する。
【背景技術】
【０００２】
従来、被包装物が包装袋によって包装された軟包体を複数個一括して販売する場合、この軟包体を複数重ね合わせてその全体を外袋で更に覆い包むようにした集積包装形態が採用されている。
【０００３】
しかしながら、個別の包装袋とは別に更に集積包装用の外袋も必要になることから過剰包装という感覚を消費者に持たれることもある。そこで、下記特許文献１のように、外袋に代えて、重ね合わせられた複数の軟包体の重ね合わせの方向に対して直交する方向に対向した一対の側面部分にそれぞれ帯状の結束ラベルを貼着し、その結束ラベルによって複数の軟包体を連結一体化するという包装形態も提案されている。
【０００４】
しかしながら、この結束ラベルは軟包体の重ね合わせの方向に沿って貼着されているため、軟包体に側方から力が作用した場合に結束ラベルが剥がれやすいという問題がある。この点について図３を参照しつつ詳細に説明すると、例えば、軟包体１００が上下に三段重ねの状態で段積みされている場合、その三段重ねの軟包体１００の対向する一対の側面部分の略中央にそれぞれ上下方向に沿うようにして結束ラベル２００を貼着することになる。軟包体１００は軟質の包装袋によって包装されたものであるので、紙箱等に比して、それ自体変形しやすい。しかも、結束ラベル２００も細長い帯状であるうえに柔軟なものであるので、結束ラベル２００自体もまた変形しやすい。従って、複数の軟包体１００が結束ラベル２００で上下に連結されていても、軟包体１００や結束ラベル２００が変形することから、そもそも全体として変形しやすく、軟包体１００同士の間で位置ずれも生じやすい。
【０００５】
そして、上下に重ねられた軟包体１００を互いに位置ずれさせる方向の力はこの場合水平方向の力となるが、その力は大きく分けて二つの方向の力に区別される。一つは図３において紙面の厚み方向の力、即ち、一対の結束ラベル２００が互いに対向している方向（結束ラベル２００の法線方向）の力である。もう一つは図３に矢印αで示している紙面の左右方向の力、即ち、水平方向であって且つ一対の結束ラベル２００が互いに対向している方向とは直交する方向（結束ラベル２００の幅方向）の力である。前者の方向の力が軟包体１００に作用した場合には、その力は結束ラベル２００の粘着面に対して直交する方向の力となるため、結束ラベル１００はその力を面で受け止めることができ、そのため、複数の軟包体１００は全体として変形するものの軟包体１００同士の間の位置ずれは生じにくく、従って、結束ラベル２００は軟包体から相対的に剥がれにくい。それに対して後者の方向の力が軟包体１００に作用した場合には、結束ラベル２００の粘着面に剪断方向の力あるいは滑りの方向の力が作用することになるため、前者の場合に比して軟包体１００同士の間の位置ずれが生じやすく、従って、結束ラベル２００は相対的に剥がれやすくなる。このような結束ラベル２００の剥がれの現象は結束ラベル２００の幅が細くなる程顕著になり、逆に太くなれば抑制されることになるが、結束ラベル２００の幅を太くするとそれ自体のコストが上がることになる。
【先行技術文献】
【特許文献】
【０００６】
【特許文献１】特開２００１−３４８０５５号公報
【発明の概要】
【発明が解決しようとする課題】
【０００７】
それゆえに本発明は上記従来の問題点に鑑みてなされ、コストアップを抑制しつつ、帯状の結束ラベルの剥がれを容易に防止することができる軟包体の結束構造を提供することを課題とする。
【課題を解決するための手段】
【０００８】
本発明は、上記課題を解決すべくなされたものであって、本発明に係る軟包体の結束構造は、所定方向に重ね合わせられた複数の軟包体と、該複数の軟包体を互いに連結すべく、前記所定方向に対して直交する方向に対向した複数の軟包体の側面部分にそれぞれ貼着された一対の帯状の結束ラベルとを備えた軟包体の結束構造であって、一対の結束ラベルは、複数の軟包体を介して互いにＸ状に交差した状態で対向していることを特徴とする。
【０００９】
該構成の軟包体の結束構造にあっては、一対の結束ラベルが上記従来のように軟包体の重ね合わせの方向（所定方向）に沿って貼着されているのではなく互いにＸ状に対向するように貼着されている。即ち、一対の結束ラベルは、軟包体の重ね合わせの方向に対して角度をなして傾斜しており、その傾斜方向は互いに逆向きとなっている。そして、重ね合わせの方向に対して直交する二方向の力のうち、一対の結束ラベルが互いに対向している方向とは直交する方向の力が軟包体に作用した場合、一対の結束ラベルのうちの一方には傾斜している分だけ引っ張り方向の力が作用することになり、他方には傾斜している分だけ圧縮方向の力が作用することになる。圧縮方向の力は結束ラベルの剥がれにはそれほど影響を及ぼさない。また、引っ張り方向の力に対しては結束ラベルはそれに十分に耐えることができる。従って、軟包体同士が互いに位置ずれしようとしても、引っ張り方向の力が作用する一方の結束ラベルが軟包体同士の位置ずれを阻止することになり、その結果、結束ラベルが軟包体から剥がれにくくなる。
【００１０】
ところで、結束ラベルが不透明なものである場合には、結束ラベルが貼着された箇所における軟包体のデザイン等の表示部は結束ラベルによって隠れて見えなくなる。通常、軟包体は整列状態で重ねられているため、上記従来のように重ね合わせの方向に沿って結束ラベルが延びていると、その結束ラベルによって複数の軟包体の同一箇所、特に中央の表示部が隠れることになり、その特定箇所の表示部が結束ラベルによって全く見えなくなる。これに対して、本発明に係る軟包体の結束構造にあっては、結束ラベルが重ね合わせの方向に対して傾斜しているため、結束ラベルによって隠れる箇所が軟包体毎に徐々にずれていくことになり、結束ラベルによって隠れることになる軟包体の表示部を全体として減少させることができる。よって、本発明に係る軟包体の結束構造によれば、軟包体の表示部を全体として隠すことなく、結束ラベルによりさらに別途表示（例えば、キャンペーン表示等の複数の軟包体を一つの単位とした内容のもの等）を付すことができる。
【００１１】
また、結束ラベルの両端部が複数の軟包体の前記所定方向の端面に沿うように斜めにカットされていることが好ましい。ここで、複数の軟包体の前記所定方向の端面とは、複数の軟包体のうち端に位置する軟包体の面であって隣の軟包体と重なり合っている面とは反対側の面である。帯状の結束ラベルは、通常はその端部においてその幅方向に直角にカットされる。このように幅方向に直角にカットされた結束ラベルを斜めに傾けて貼着すると、結束ラベルの端部における左右両隅部のうち一方の隅部が、複数の軟包体の所定方向の端面から突出しやすく、その突出した一方の隅部に他の部材等が引っかかる等してそこから結束ラベルが剥がれやすくなる。これに対して、結束ラベルの両端部が複数の軟包体の所定方向の端面に沿うように斜めにカットされていると、結束ラベルの端部における一方の隅部が複数の軟包体の端面から突出しにくくなり、結束ラベルの両端部における剥がれを容易に防止することができる。
【発明の効果】
【００１２】
以上のように本発明に係る軟包体の結束構造にあっては、一対の結束ラベルがＸ状に交差するように貼着されているので、結束ラベルの幅を広げなくてもその剥がれを容易に防止することができ、コストアップも抑制することができる。
【図面の簡単な説明】
【００１３】
【図１】本発明の一実施形態における軟包体の結束構造を示す斜視図。
【図２】同軟包体の結束構造を示す側面図。
【図３】従来の軟包体の結束構造を示す側面図。
【発明を実施するための形態】
【００１４】
以下、本発明の一実施形態に係る軟包体の結束構造について図１及び図２を参酌しつつ説明する。本実施形態における軟包体の結束構造は、所定方向に重ね合わせられた複数の軟包体１と、該複数の軟包体１を互いに連結すべく、上述の所定方向に対して直交する方向に対向した複数の軟包体１の側面部分にそれぞれ貼着された一対の帯状の結束ラベル２ａ，２ｂとを備えたものである。具体的には、複数の軟包体１は上下に段積みされて重ね合わせられており、従って結束ラベル２ａ，２ｂは複数の軟包体１を上下に連結している。結束ラベル２ａ，２ｂは複数の軟包体１によって形成される側面部分のうち対向した部分に貼着される。かかる軟包体の結束構造は、その結束ラベル２ａ，２ｂに主たる特徴を有するものであるが、まずは結束される対象物である軟包体１について説明する。
【００１５】
軟包体１は、各種の被包装物が軟質包装材によって包装されたものであればよく、包装形態や種類、形状等は特には限定されないが、本実施形態ではその一例として、ウエットティッシュが包装袋によって密封包装されたウエットティッシュ包装体である場合について説明する。
【００１６】
軟包体１の包装形態はピロー包装であるがこれに限らず種々の包装形態であってよい。内容物であるウエットティッシュ（ウエットシート）は略矩形に形成されて多数枚積層されており、従って、ウエットティッシュの積層体は略直方体形状となり、それがピロー包装されて形成された軟包体１もまた略直方体形状となる。従って、軟包体１は略長方形の上面１０とそれと対向した底面１１と、二対の側面１２，１３とを有している。二対の側面１２，１３のうち、一方は略長方形の上面１０及び底面１１の長辺側に位置し他方は短辺側に位置する。図１及び図２において矢印αで示す方向が長辺に沿った方向であり、矢印βで示す方向が短辺に沿った方向である。短辺側の両側面１３にはそれぞれ横シール部１４が形成され、該横シール部１４は側方に突出した状態にある。本実施形態において長辺側の側面１２が結束ラベル２ａ，２ｂの被貼着面を構成する部分であって、軟包体１が積み重ねられて各軟包体１の長辺側の側面１２が集合することによって、上述した「複数の軟包体１によって形成される側面部分のうち対向した部分」となる。但し、側方に突出した横シール部１４を例えば底面１１側に折り曲げて接着固定することにより、短辺側の側面１３も被貼着面を構成する部分となりうる。尚、図示しないが、上面１０には内容物を取り出すための取り出し口が形成されると共にそれを再封可能に閉塞するための開封シールが剥離可能且つ再貼着可能に貼着され、また、底面１１には、背貼り部（センターシール部）が形成されている。
【００１７】
このような軟包体１が所定方向に整列状態で重ね合わせられる。その重ね合わせの方向や重ね合わせる面は任意であるが、上下方向に段積み状態で積み重ねることができる。上述したウエットティッシュ包装体のような場合にはその厚さないし高さ（上面１０と底面１１との間の寸法）が最も小さいことから、上下に重ねていくと安定性がよい。重ね合わせる数も任意であるが、三個〜五個とすることが好ましい。本実施形態では上段の軟包体１ａ、中段の軟包体１ｂ、下段の軟包体１ｃと、軟包体１が上下に三個積み重ねられている。そして、軟包体１の長辺側の側面１２が上下に三つ並ぶことになり、この上下に並んだ三つの長辺側の側面１２から被貼着面が構成され、該被貼着面に結束ラベル２ａ，２ｂが貼着される。長辺側の側面１２が対向して一対存在することから、被貼着面も対向して一対形成され、その一対の被貼着面にそれぞれ結束ラベル２ａ，２ｂが貼着される。尚、一般的には、軟包体１はその上面１０が上を向くようにして重ねられるが、上面１０が下を向いたりしてもよく、複数の軟包体１のうちの幾つかのみ、その上面１０が下を向くように重ねられていてもよい。例えば、上段の軟包体１ａのみその上面１０が下を向くように重ねられていてもよい。
【００１８】
結束ラベル２ａ，２ｂは、ラベル基材と該ラベル基材の裏面に積層された粘着剤層とを有する。ラベル基材は、柔軟なシートであればその材質等は特には限定されず、種々の公知のものを用いることができる。ラベル基材としては、例えば、紙、不織布、合成紙、プラスチックフィルム等が挙げられ、単層構造であってもよいし、二層以上の多層構造であってもよい。特に、機械的強度に優れていて柔軟性も併せ持つことから、合成紙若しくはプラスチックフィルムの単層、又は合成紙若しくはプラスチックフィルムを含む積層体が好ましい。合成紙としては、例えば、（株）ユポ・コーポレーションの商品名「ユポ」、東洋紡績（株）の商品名「クリスパー」等を用いることができる。また、プラスチックフィルムとしては、例えばポリエチレンテレフタレートやポリ乳酸などのエステル系樹脂、ポリプロピレン等のオレフィン系樹脂、スチレン−ブタジエン共重合体等のスチレン系樹脂、環状オレフィン系樹脂、塩化ビニル系樹脂等の熱可塑性樹脂を含む延伸フィルム等を用いることができ、その中でも機械的強度に優れることから、これらの二軸延伸フィルムを用いることが好ましい。ラベル基材の厚さは特に限定されないが、合成紙又はプラスチックフィルムの単層からなる場合、例えば２５μｍ〜１２０μｍであり、好ましくは３０μｍ〜８０μｍである。
【００１９】
ラベル基材は、透明であってもよいし不透明であってもよい。合成紙は、通常乳白色の不透明であるため、ラベル基材が合成紙を含む場合には不透明なものとなる。また、プラスチックフィルムは、通常透明であるため、白色ベタ印刷や銀色ベタ印刷を透明なプラスチックに施すことによって、不透明なラベル基材とすることができる。また、プラスチックフィルムに金属蒸着膜のような不透明な層を積層することによって不透明のラベル基材としてもよい。
【００２０】
ラベル基材の表面又は裏面には必要に応じて所望の表示部（印刷層）を印刷により形成してもよい。尚、不透明なラベル基材を用いる場合にはその表面に表示部を設けることになる。不透明な結束ラベル２ａ，２ｂを軟包体１に貼着すると、軟包体１の表示部（デザイン）の一部が結束ラベル２ａ，２ｂによって隠れて見えなくなる場合がある。従って、不透明なラベル基材の表面に表示部を設ける場合には、隠れて見えなくなる軟包体１の表示部を補うための表示部としてもよい。更に、不透明なラベル基材の表面に表示部を設ける場合、その表示部としては、個々の軟包体１に関する情報ではなく、複数の軟包体１を一つの単位とした内容のもの、例えば、複数の軟包体１の販売価格等を示すものとすることが好ましい。また、表示部としてバーコードや二次元コード等の光学的読取表示を設けてもよく、光学的読取表示を設ける場合には個々の軟包体１に設けられた光学的読取表示とは異なる内容としておくことが好ましい。
【００２１】
かかる構成の結束ラベル２ａ，２ｂが、上述した一対の被貼着面にそれぞれ貼着されていて、従って、一対の結束ラベル２ａ，２ｂは矢印βで示す方向に互いに対向している。結束ラベル２ａ，２ｂは上下方向に対して所定角度傾斜した状態で貼着されており、一対の結束ラベル２ａ，２ｂは複数の軟包体１を介して互いにＸ状に交差した状態にある。結束ラベル２ａ，２ｂが傾斜する向きは左右何れの向きであってもよいが、本実施形態においては一例として、結束ラベル２ａ，２ｂを正面から見た正面視において上端部２０が左側に位置し下端部２１が右側に位置するように左上から右下にかけて傾斜している。一対の結束ラベル２ａ，２ｂは何れもそれを正面から見ると同様に傾斜しているが、図２のように複数の軟包体１を一方の被貼着面側から見た場合、即ち、その一方の被貼着面を正面として見た場合には、図２に実線で示している正面側の結束ラベル２ａと、図２に破線で示している背面側の結束ラベル２ｂは、複数の軟包体１を介して互いにＸ状に交差した関係となる。
【００２２】
結束ラベル２ａ，２ｂの傾斜角度は任意であり、一対の結束ラベル２ａ，２ｂの間において傾斜角度が互いに同じであってもよいし異なっていてもよいが、好ましくは、一方の被貼着面側から見たときに、左右対称のＸ状となるように、互いの傾斜角度が同じであることが好ましい。また、傾斜角度は例えば２０〜７０度とする。更に、結束ラベル２ａ，２ｂの貼着位置は左右方向中央が好ましい。つまり、中段の軟包体１ｂの長辺側の側面１２の左右方向中央部を通るようにして結束ラベル２ａ，２ｂが貼着されていることが好ましいが、左右に偏心した位置に貼着されていてもよい。
【００２３】
また、結束ラベル２ａ，２ｂの上端部２０と下端部２１はそれぞれ上段の軟包体１ａの上面１０近傍と下段の軟包体１ｃの底面１１近傍に位置することが好ましい。また、結束ラベル２ａ，２ｂの上端部２０と下端部２１はそれぞれ軟包体１の長辺側の側面１２の左右両端部近傍に位置することが好ましい。そして、結束ラベル２ａ，２ｂの上端部２０と下端部２１はそれぞれ上段の軟包体１ａの上面１０と下段の軟包体１ｃの底面１１に沿うように斜めにカットされていることが好ましい。上段の軟包体１ａの上面１０と下段の軟包体１ｃの底面１１は略水平となっていることから、結束ラベル２ａ，２ｂの上端部２０と下端部２１もそれぞれ水平方向となるような傾斜角度でカットされている。尚、本実施形態において上段の軟包体１ａの上面１０と下段の軟包体１ｃの底面１１は、複数の軟包体１の所定方向（上下方向）の端面を構成している。また、段積みされた複数の軟包体１を、図１及び図２に矢印αで示しているにように、軟包体１の長手方向に沿って、即ち、上面１０及び底面１１の長辺に沿った方向であって短辺側の側面１３同士が対向する方向に沿って、例えばコンベアで搬送し、その搬送経路の両側から所定長さに切断された結束ラベル２ａ，２ｂを押し付けるようにしてそれぞれ貼着することができる。
【００２４】
以上のように構成された軟包体の結束構造にあっては、一対の結束ラベル２ａ，２ｂが上下方向に対して所定角度傾斜して貼着されていて複数の軟包体１を介して互いにＸ状に対向しているので、水平方向の力のうち、一対の結束ラベル２ａ，２ｂの対向方向（矢印β）とは直交する方向（矢印α）の力が輸送中等に軟包体１に作用して軟包体１同士が互いに位置ずれしようとしても、一対の結束ラベル２ａ，２ｂのうち引っ張り方向の力が作用する結束ラベル２ａ，２ｂが軟包体１同士の位置ずれを阻止する。従って、結束ラベル２ａ，２ｂを幅広のものとしなくても十分な結束力が得られて結束ラベル２ａ，２ｂの剥がれも防止される。また、結束ラベル２ａ，２ｂの長さが従来に比して僅かに長くなる程度であるため、コストアップも最小限に抑制できる。また更に、一対の結束ラベル２ａ，２ｂが軟包体１の同一方向を向くように傾斜しているのではなくＸ状に交差しているので、一対の結束ラベル２ａ，２ｂの対向方向（矢印β）とは直交する方向（矢印α）において左右何れの向きから力が作用してもそれに耐えることができる。
【００２５】
また、結束ラベル２ａ，２ｂを不透明なものとする場合であっても、結束ラベル２ａ，２ｂが斜めに傾斜しているため、結束ラベル２ａ，２ｂによって隠れる軟包体１の箇所が上段、中段、下段と徐々に左右にずれることになる。そのため、従来のように全ての軟包体１において中央部の表示部が結束ラベル２ａ，２ｂで全く見えなくなるということはなく、結束ラベル２ａ，２ｂによって隠れて見えなくなる軟包体１の表示部を全体として減少させることができる。
【００２６】
更に、結束ラベル２ａ，２ｂの上端部２０と下端部２１はそれぞれ、上段の軟包体１ａの上面１０近傍と下段の軟包体１ｃの底面１１近傍に位置すると共に、軟包体１の長辺側の側面１２の左右両端部近傍に位置している。即ち、複数の軟包体１の長辺側の側面１２から構成される略矩形の被貼着面の対角線の近傍に結束ラベル２ａ，２ｂが位置するので、複数の軟包体１の位置ずれを結束ラベル２ａ，２ｂが効率良く抑制して軟包体１の重ね合わせ状態をしっかりと安定させることができる。
【００２７】
更にまた、結束ラベル２ａ，２ｂの上下両端部が軟包体１の上面１０や底面１１に沿うように斜めにカットされているので、結束ラベル２ａ，２ｂの端部における左右両隅部のうちの一方の隅部が、軟包体１の上面１０から上方に突出したり底面１１から下方に突出しにくくなり、結束ラベル２ａ，２ｂの両端部における剥がれを容易に防止することができる。
【００２８】
尚、結束ラベル２ａ，２ｂの上下両端部を従来同様に幅方向に沿って直角にカットして軟包体１の上面１０や底面１１に回り込ませて貼着してもよい。但し、軟包体１の上面１０や底面１１に回り込ませるのではなく結束ラベル２ａ，２ｂの貼着箇所を軟包体１の側面のみとすることが製造上好ましく、低コストで製造できる。
【００２９】
また、軟包体１が特に大型のものである場合等、より一層しっかりと安定させたい場合には、貼着箇所が増えるものの、短辺側の側面１３にも同様にＸ状に交差するようにして一対の結束ラベル２ａ，２ｂを貼着してもよく、また、一つの被貼着面に複数の結束ラベル２ａ，２ｂを貼着するようにしてもよい。
【符号の説明】
【００３０】
１    軟包体１
１ａ  上段の軟包体
１ｂ  中段の軟包体
１ｃ  下段の軟包体
２ａ  結束ラベル
２ｂ  結束ラベル
１０    上面
１１    底面
１２    長辺側の側面
１３    短辺側の側面
１４    横シール部
２０    上端部
２１    下端部
１００  軟包体
２００  結束ラベル
【図１】
2015054722.tif 000003
【図２】
2015054722.tif 000004
【図３】
2015054722.tif 000005